(57)【要約】【課題】  定規板を大きくせずに径の異なる複数の円弧ラインを表示できるアールコーナー定規を提供する。【解決手段】  定規板１上に仮想のＸ軸とＹ軸を求め、Ｘ軸とＹ軸の間に径の異なる複数の円弧ライン２ａ，２ｂ，２ｃ，２ｄ，２ｅ，２ｆ，２ｇを表示したアールコーナー定規であって、各円弧ライン２ａ，２ｂ，２ｃ，２ｄ，２ｅ，２ｆ，２ｇのアール径の中心点３ａ，３ｂ，３ｃ，３ｄ，３ｅ，３ｆ，３ｇをＸ軸又はＹ軸上に求め、最小アール径の円弧ライン２ａの中心点３ａを基準点４とし、各円弧ライン２ｂ，２ｃ，２ｄ，２ｅ，２ｆ，２ｇの中心点３ｂ，３ｃ，３ｄ，３ｅ，３ｆ，３ｇを、各円弧ラインのアール径と、各円弧ラインの小アール径側の直前の円弧ラインのアール径との寸法差より短い寸法の範囲内で所定の寸法だけ前記基準点４からＸ軸又はＹ軸上の負側に移して各円弧ライン２ｂ，２ｃ，２ｄ，２ｅ，２ｆ，２ｇを表示し、各円弧ライン２ａ，２ｂ，２ｃ，２ｄ，２ｅ，２ｆ，２ｇにはアール径を示す表示部５を設けた。【選択図】    図１
2005313351.tif 000002
【特許請求の範囲】
【請求項１】
定規板上に仮想のＸ軸とＹ軸を求め、Ｘ軸とＹ軸の間に径の異なる複数の円弧ラインを表示したアールコーナー定規であって、
各円弧ラインのアール径の中心点をＸ軸又はＹ軸上に求め、最小アール径の円弧ラインの中心点を基準点とし、各円弧ラインの中心点を、各円弧ラインのアール径と、各円弧ラインの小アール径側の直前の円弧ラインのアール径との寸法差より短い寸法の範囲内で所定の寸法だけ前記基準点からＸ軸又はＹ軸上の負側に移して各円弧ラインを表示し、各円弧ラインにはアール径を示す表示部を設けたことを特徴とするアールコーナー定規。
【請求項２】
定規板上に仮想のＸ軸とＹ軸を求め、Ｘ軸とＹ軸の間に径の異なる複数の円弧ラインを表示したアールコーナー定規であって、
各円弧ラインのアール径の中心点をＸ軸又はＹ軸上に求め、最小アール径の円弧ラインの中心点を基準点とし、各円弧ラインの中心点を、各円弧ラインの小アール径側の直前の円弧ラインの中心点から所定寸法だけＸ軸又はＹ軸上の正側に移して各円弧ラインを表示し、各円弧ラインにはアール径を示す表示部を設けたことを特徴とするアールコーナー定規。
【請求項３】
前記定規板には前記各円弧状ラインを内周または外周として円弧状スリットが形成され、前記各円弧状スリットの両端に対応して前記定規板に位置決めピン挿入孔がそれぞれ設けられていることを特徴とする請求項１又は２に記載のアールコーナー定規。
【請求項４】
前記定規板は可撓性材料で形成されていることを特徴とする請求項１，２又は３に記載のアールコーナー定規。
【請求項５】
前記定規板は透明な材料で形成されていることを特徴とする請求項１，２，３又は４に記載のアールコーナー定規。
【発明の詳細な説明】
【技術分野】
【０００１】
本発明は、例えば物品のコーナー部のアール径を計測でき、また、必要に応じて図面上或いは物品上に所定の径のアールコーナーを作図でき或いは表示できるアールコーナー定規に関する。
【背景技術】
【０００２】
従来、コーナー部のアール径を計測し、また、図面上或いは物品上に所定の径のアールを作図でき或いは表示できるアールコーナー定規として、径の異なる円穴を大小順列に配置して設けたテンプレートが一般に広く知られている。
【０００３】
また、円弧を描くための定規として、標尺に２個のアームを取り付け一方のアームは標尺に固定するとともに他方のアームは摺動可能に取り付け、上記アームに取り付けられた支持具間に弾性体を取り付けた円弧定規（特許文献１）や、アール径を計測する定規として、曲率半径目盛の付された主直定規と、主直定規に対して中央部を直交状態で摺動自在のスライダーを有するパンタグラフリンク機構にした両端に測定部片をそれぞれ有する測定直定規と、測定直定規の中央部又はスライダーに設けた指標とからなり、主直定規の先端測定点及び左右測定部片の各先端測定点の３点が当接した被測定面の曲率半径を指標が曲率半径目盛りで指示するようにした内アール用半径ゲージ（特許文献２）が開示されている。
【特許文献１】実開昭６３−１６１８９４号公報
【特許文献１】実開平１−１２９６０５号公報
【発明の開示】
【発明が解決しようとする課題】
【０００４】
しかしながら、径の異なる円穴を大小順列に配置して設けたテンプレートによれば、径の異なる円穴を大小順列に配置して設けているので、定規板が大きくなるといった問題点があった。また、特許文献１で開示されている円弧定規や特許文献２で開示されている内アール用半径ゲージは、いずれも構成が複雑であり、また操作が非常に面倒であるといった問題があった。
【０００５】
本発明の目的は、定規板を大きくせずに径の異なる複数の円弧ラインを表示できるアールコーナー定規を提供することにある。  
本発明の他の目的は、簡単な手法で容易にコーナーのアール径を計測できるアールコーナー定規を提供することにある。  
本発明の他の目的は、図面上或いは物品上に所定の径のアールコーナーを簡単な手法で容易に作図でき或いは表示できるアールコーナー定規を提供することにある。
【課題を解決するための手段】
【０００６】
上記の目的を達成する構成を説明すると、下記の通りである。  
請求項１に記載の発明は、定規板上に仮想のＸ軸とＹ軸を求め、Ｘ軸とＹ軸の間に径の異なる複数の円弧ラインを表示したアールコーナー定規であって、各円弧ラインのアール径の中心点をＸ軸又はＹ軸上に求め、最小アール径の円弧ラインの中心点を基準点とし、各円弧ラインの中心点を、各円弧ラインのアール径と、各円弧ラインの小アール径側の直前の円弧ラインのアール径との寸法差より短い寸法の範囲内で所定の寸法だけ前記基準点からＸ軸又はＹ軸上の負側に移して各円弧ラインを表示し、各円弧ラインにはアール径を示す表示部を設けたことを特徴とする。
【０００７】
かかる構成から、定規板上に仮想のＸ軸とＹ軸を求め、Ｘ軸とＹ軸の間に径の異なる複数の円弧ラインを表示したので、径の異なる複数の円弧ラインを極めて効果的に小さい面積で表示することができるので、定規板のコンパクト化が図れ、しかも、各円弧ラインの中心点を、各円弧ラインのアール径と、各円弧ラインの小アール径側の直前の円弧ラインのアール径との寸法差より短い寸法の範囲内で所定の寸法だけ前記基準点からＸ軸又はＹ軸上の負側に移して各円弧ラインを表示したので、Ｙ軸上の各円弧ラインの間隔は、各円弧ラインの中心点を基準点からＸ軸又はＹ軸上の負側に移した寸法だけ狭くなり、その分、Ｘ軸とＹ軸の間に表示される径の異なる複数の円弧ラインの表示面積が小さくなり、定規板の一層のコンパクト化が図れる。そして、各円弧ラインのアール径は、各円弧ラインに設けた表示部により容易に知ることができる。
【０００８】
請求項２に記載の発明は、定規板上に仮想のＸ軸とＹ軸を求め、Ｘ軸とＹ軸の間に径の異なる複数の円弧ラインを表示したアールコーナー定規であって、各円弧ラインのアール径の中心点をＸ軸又はＹ軸上に求め、最小アール径の円弧ラインの中心点を基準点とし、各円弧ラインの中心点を、各円弧ラインの小アール径側の直前の円弧ラインの中心点から所定寸法だけＸ軸又はＹ軸上の正側に移して各円弧ラインを表示し、各円弧ラインにはアール径を示す表示部を設けたことを特徴とする。
【０００９】
かかる構成から、定規板上に仮想のＸ軸とＹ軸を求め、Ｘ軸とＹ軸の間に径の異なる複数の円弧ラインを表示したので、径の異なる複数の円弧ラインを極めて効果的に小さい面積で表示することができるので、定規板のコンパクト化が図れ、また、各円弧ラインの中心点を、各円弧ラインの小アール径側の直前の円弧ラインの中心点から所定寸法だけＸ軸又はＹ軸上の正側に移して各円弧ラインを表示したので、Ｘ軸又はＹ軸上の各円弧ラインの間隔は、各円弧ラインの中心点を基準点からＸ軸又はＹ軸上の正側に移した寸法だけ広くなり、各円弧ラインのアール径の間隔が狭いものであっても、前記各円弧ラインの中心点を基準点からＸ軸又はＹ軸上の正側に移した寸法分、Ｘ軸とＹ軸の間に表示される径の異なる複数の円弧ラインの間隔が広く表示されるので、Ｘ軸とＹ軸の間に表示される径の異なる複数の円弧ラインを容易に確認することができ、そして、各円弧ラインのアール径は、各円弧ラインに設けた表示部により容易に知ることができる。
【００１０】
請求項３に記載の発明は、請求項１又は２に記載の、前記定規板には前記各円弧状ラインを内周または外周として円弧状スリットが形成され、前記各円弧状スリットの両端に対応して前記定規板に位置決めピン挿入孔がそれぞれ設けられていることを特徴とする。
【００１１】
かかる構成から、図面上或いは物品上に所定の径のアールコーナーを作図し或いは表示しようとしたとき、所定の径の円弧状スリットの両端に対応して前記定規板に設けられている位置決めピン挿入孔に適宜のピンを挿入し、このピンを図面上のコーナー部の２側辺に当接させ、また、物品のコーナー部の２側辺に当接させ、前記円弧状スリットに筆記具を挿入して円弧状スリット内を移動させることにより、容易に且つ確実に所定の径のアールコーナーを作図し或いは表示することができる。
【００１２】
請求項４に記載の発明は、請求項１，２又は３に記載の、前記定規板は可撓性材料で形成されていることを特徴とする。
【００１３】
かかる構成から、計測しようとする物品のコーナー部の周辺が狭い状態であっても、定規板を曲げることにより、当該物品のコーナー部のアールに定規板に表示されている円弧ラインを合わせることができるので、当該コーナー部のアールのアール径を容易に計測することができる。
【００１４】
請求項５に記載の発明は、請求項１，２，３又は４に記載の、前記定規板は透明な材料で形成されていることを特徴とする。
【００１５】
かかる構成から、図面上或いは物品上に定規板を当て、定規板を透過する図面上或いは物品上の計測しようとするコーナー部のアールに定規板に表示されている円弧ラインを合わせることができるので、当該コーナー部のアールのアール径を容易に計測することができる。
【発明の効果】
【００１６】
本発明によれば、定規板を大きくせずに径の異なる複数の円弧ラインを表示できるアールコーナー定規を得ることができる。また、簡単な手法で容易にコーナーのアール径を計測でき、また、図面上或いは物品上に所定の径のアールコーナーを簡単な手法で容易に作図でき或いは表示できるアールコーナー定規を得ることができる。
【発明を実施するための最良の形態】
【００１７】
以下、本発明に係るアールコーナー定規を実施するための最良の形態を図面を参照して詳細に説明する。
【００１８】
図１は実施の形態の第１例を示すものである。本例のアールコーナー定規は、定規板１上に仮想のＸ軸とＹ軸を求め、Ｘ軸とＹ軸の間に径の異なる複数の円弧ライン２ａ，２ｂ，２ｃ，２ｄ，２ｅ，２ｆ，２ｇ・・・を表示しており、前記各円弧ライン２のアール径の中心点３ａ，３ｂ，３ｃ，３ｄ，３ｅ，３ｆ，３ｇ・・・をＹ軸上に求め、最小アール径の円弧ライン２ａの中心点３ａを基準点４とし、最小アール径の円弧ライン２ａの中心点３ａを除き各円弧ライン２ｂ，２ｃ，２ｄ，２ｅ，２ｆ，２ｇ・・・の中心点３ｂ，３ｃ，３ｄ，３ｅ，３ｆ，３ｇ・・・を、各円弧ライン２ｂ，２ｃ，２ｄ，２ｅ，２ｆ，２ｇ・・・のアール径と、各円弧ライン２ｂ，２ｃ，２ｄ，２ｅ，２ｆ，２ｇ・・・の小アール径側の直前の円弧ライン２ａ，２ｂ，２ｃ，２ｄ，２ｅ，２ｆ，２ｇ・・・のアール径との寸法差より短い寸法の範囲内で所定の寸法だけ前記基準点４からＹ軸上の負側に移して各円弧ライン２ｂ，２ｃ，２ｄ，２ｅ，２ｆ，２ｇ・・・を表示している。そして、各円弧ライン２ａ，２ｂ，２ｃ，２ｄ，２ｅ，２ｆ，２ｇ・・・にはアール径を示す表示部５を設けている。
【００１９】
本例では、各円弧ライン２ａ，２ｂ，２ｃ，２ｄ，２ｅ，２ｆ，２ｇ・・・のアール径を１０ｍｍ間隔で表示しており、最小アール径の円弧ライン２ａの中心点３ａを除き各円弧ライン２ｂ，２ｃ，２ｄ，２ｅ，２ｆ，２ｇ・・・の中心点３ｂ，３ｃ，３ｄ，３ｅ，３ｆ，３ｇ・・・を、それぞれ５ｍｍだけ前記基準点４からＹ軸上の負側に移して前記円弧ライン２ｂ，２ｃ，２ｄ，２ｅ，２ｆ，２ｇ・・・を表示している。
【００２０】
このように表示することにより、Ｙ軸上の各円弧ライン２ａ，２ｂ，２ｃ，２ｄ，２ｅ，２ｆ，２ｇ・・・の間隔は、円弧ライン２ｂ，２ｃ，２ｄ，２ｅ，２ｆ，２ｇ・・・の中心点３ｂ，３ｃ，３ｄ，３ｅ，３ｆ，３ｇ・・・を基準点４からＹ軸上の負側に移した寸法、即ち５ｍｍだけ狭くなり、その分、Ｘ軸とＹ軸の間に表示される径の異なる複数の円弧ライン２ａ，２ｂ，２ｃ，２ｄ，２ｅ，２ｆ，２ｇ・・・の表示面積が小さくなる。
【００２１】
これにより、定規板１のコンパクト化が図れ、また、各円弧ライン２ａ，２ｂ，２ｃ，２ｄ，２ｅ，２ｆ，２ｇ・・・のアール径は、各円弧ライン２ａ，２ｂ，２ｃ，２ｄ，２ｅ，２ｆ，２ｇ・・・に設けた表示部５により容易に知ることができる。
【００２２】
更に、本例では、前記定規板１に長さを示す目盛り部６が表示されている。
【００２３】
前記円弧ライン２ａ，２ｂ，２ｃ，２ｄ，２ｅ，２ｆ，２ｇ・・・を表示する前記定規板１にあっては、板状或いはフィルム状であれば特に限定されない。また、材質にあっては、アクリル、塩化ビニール、ポリカーボネイト、ビニール等の合成樹脂製、スチール、アルミニウム、ステンレス、真鍮等の金属製等が使用されるが、特に限定されない。
【００２４】
本例では、前記定規板１は可撓性があり且つ透明な材料で形成されている。このように、定規板１を可撓性がある材料で形成すると、計測しようとする物品のコーナー部の周辺が狭い状態であっても、定規板１を曲げることにより、当該物品のコーナー部のアールに定規板１に表示されている円弧ライン２ａ，２ｂ，２ｃ，２ｄ，２ｅ，２ｆ，２ｇ・・・を合わせることができるので、当該コーナー部のアールのアール径を容易に計測することができる。また、丸めて持ち運びすることができるので便利である。また、定規板１を透明な材料で形成すると、図面上或いは物品上に定規板を当て、定規板１を透過する図面上或いは物品上の計測しようとするコーナー部のアールに定規板に表示されている円弧ライン２ａ，２ｂ，２ｃ，２ｄ，２ｅ，２ｆ，２ｇ・・・を合わせることができるので、当該コーナー部のアールのアール径を容易に計測することができる。
【００２５】
図２は実施の形態の第２例を示すものである。本例のアールコーナー定規は、第１例と同様に、定規板１上に仮想のＸ軸とＹ軸を求め、Ｘ軸とＹ軸の間に径の異なる複数の円弧ライン２ａ，２ｂ，２ｃ，２ｄ，２ｅ，２ｆ，２ｇ・・・を表示しており、本例では、前記各円弧ライン２のアール径の中心点３ａ，３ｂ，３ｃ，３ｄ，３ｅ，３ｆ，３ｇ・・・をＸ軸上に求め、最小アール径の円弧ライン２ａの中心点３ａを基準点４とし、最小アール径の円弧ライン２ａの中心点３ａを除き各円弧ライン２ｂ，２ｃ，２ｄ，２ｅ，２ｆ，２ｇ・・・の中心点３ｂ，３ｃ，３ｄ，３ｅ，３ｆ，３ｇ・・・を、各円弧ライン２ｂ，２ｃ，２ｄ，２ｅ，２ｆ，２ｇ・・・のアール径と、各円弧ライン２ｂ，２ｃ，２ｄ，２ｅ，２ｆ，２ｇ・・・の小アール径側の直前の円弧ライン２ａ，２ｂ，２ｃ，２ｄ，２ｅ，２ｆ，２ｇ・・・のアール径との寸法差より短い寸法の範囲内で所定の寸法だけ前記基準点４からＸ軸上の負側に移して各円弧ライン２ｂ，２ｃ，２ｄ，２ｅ，２ｆ，２ｇ・・・を表示している。そして、各円弧ライン２ａ，２ｂ，２ｃ，２ｄ，２ｅ，２ｆ，２ｇ・・・にはアール径を示す表示部５を設けている。
【００２６】
本例では、各円弧ライン２ａ，２ｂ，２ｃ，２ｄ，２ｅ，２ｆ，２ｇ・・・のアール径を１０ｍｍ間隔で表示しており、最小アール径の円弧ライン２ａの中心点３ａを除き各円弧ライン２ｂ，２ｃ，２ｄ，２ｅ，２ｆ，２ｇ・・・の中心点３ｂ，３ｃ，３ｄ，３ｅ，３ｆ，３ｇ・・・を、それぞれ５ｍｍだけ前記基準点４からＸ軸上の負側に移して前記円弧ライン２ｂ，２ｃ，２ｄ，２ｅ，２ｆ，２ｇ・・・を表示している。
【００２７】
このように表示することにより、Ｘ軸上の各円弧ライン２ａ，２ｂ，２ｃ，２ｄ，２ｅ，２ｆ，２ｇ・・・の間隔は、円弧ライン２ｂ，２ｃ，２ｄ，２ｅ，２ｆ，２ｇ・・・の中心点３ｂ，３ｃ，３ｄ，３ｅ，３ｆ，３ｇ・・・を基準点４からＹ軸上の負側に移した寸法、即ち５ｍｍだけ狭くなり、その分、Ｘ軸とＹ軸の間に表示される径の異なる複数の円弧ライン２ａ，２ｂ，２ｃ，２ｄ，２ｅ，２ｆ，２ｇ・・・の表示面積が小さくなる。
【００２８】
これにより、定規板１のコンパクト化が図れ、また、各円弧ライン２ａ，２ｂ，２ｃ，２ｄ，２ｅ，２ｆ，２ｇ・・・のアール径は、各円弧ライン２ａ，２ｂ，２ｃ，２ｄ，２ｅ，２ｆ，２ｇ・・・に設けた表示部５により容易に知ることができる。更に、本例にあっても、前記定規板１に長さを示す目盛り部６が表示されている。
【００２９】
更に、本例にあっても、前記定規板１に長さを示す目盛り部６が表示されている。また、前記定規板１にあっては、前記第１例と同様であり、特に限定されない。
【００３０】
図３は実施の形態の第３例を示すものである。本例のアールコーナー定規は、第１例と同様に、定規板１上に仮想のＸ軸とＹ軸を求め、Ｘ軸とＹ軸の間に径の異なる複数の円弧ライン２ａ，２ｂ，２ｃ，２ｄ，２ｅ，２ｆ，２ｇ・・・を表示しており、本例では、前記各円弧ライン２のアール径の中心点３ａ，３ｂ，３ｃ，３ｄ，３ｅ，３ｆ，３ｇ・・・をＹ軸上に求め、最小アール径の円弧ライン２ａの中心点３ａを基準点４とし、最小アール径の円弧ライン２ａの中心点３ａを除き各円弧ライン２ｂ，２ｃ，２ｄ，２ｅ，２ｆ，２ｇ・・・の中心点３ｂ，３ｃ，３ｄ，３ｅ，３ｆ，３ｇ・・・を、各円弧ライン２ｂ，２ｃ，２ｄ，２ｅ，２ｆ，２ｇ・・・の小アール径側の直前の円弧ライン２ａ，２ｂ，２ｃ，２ｄ，２ｅ，２ｆ，２ｇ・・・の中心点３ａ，３ｂ，３ｃ，３ｄ，３ｅ，３ｆ，３ｇ・・・から所定寸法だけＹ軸上の正側に移して各円弧ライン２ｂ，２ｃ，２ｄ，２ｅ，２ｆ，２ｇ・・・を表示している。そして、各円弧ライン２ａ，２ｂ，２ｃ，２ｄ，２ｅ，２ｆ，２ｇ・・・にはアール径を示す表示部５を設けている。
【００３１】
本例では、各円弧ライン２ａ，２ｂ，２ｃ，２ｄ，２ｅ，２ｆ，２ｇ・・・のアール径を５ｍｍ間隔で表示しており、最小アール径の円弧ライン２ａの中心点３ａを除き各円弧ライン２ｂ，２ｃ，２ｄ，２ｅ，２ｆ，２ｇ・・・の中心点３ｂ，３ｃ，３ｄ，３ｅ，３ｆ，３ｇ・・・を、それぞれ５ｍｍだけ前記基準点４からＹ軸上の正側に移して前記円弧ライン２ｂ，２ｃ，２ｄ，２ｅ，２ｆ，２ｇ・・・を表示している。
【００３２】
このように表示することにより、Ｙ軸上の各円弧ライン２ａ，２ｂ，２ｃ，２ｄ，２ｅ，２ｆ，２ｇ・・・の間隔は、円弧ライン２ｂ，２ｃ，２ｄ，２ｅ，２ｆ，２ｇ・・・の中心点３ｂ，３ｃ，３ｄ，３ｅ，３ｆ，３ｇ・・・を基準点４からＹ軸上の正側に移した寸法、即ち５ｍｍだけ広くなって１０ｍｍとなり、各円弧ライン２ａ，２ｂ，２ｃ，２ｄ，２ｅ，２ｆ，２ｇ・・・のアール径の間隔が５ｍｍと狭いものであっても、前記各円弧ライン２ｂ，２ｃ，２ｄ，２ｅ，２ｆ，２ｇ・・・の中心点３ｂ，３ｃ，３ｄ，３ｅ，３ｆ，３ｇ・・・を基準点４からＹ軸上の正側に移した寸法、即ち５ｍｍ分、Ｘ軸とＹ軸の間に表示される径の異なる複数の円弧ライン２ａ，２ｂ，２ｃ，２ｄ，２ｅ，２ｆ，２ｇ・・・の間隔が広く１０ｍｍに表示されるので、Ｘ軸とＹ軸の間に表示される径の異なる複数の円弧ラインを容易に確認することができるものとなる。また、各円弧ライン２ａ，２ｂ，２ｃ，２ｄ，２ｅ，２ｆ，２ｇ・・・のアール径は、各円弧ライン２ａ，２ｂ，２ｃ，２ｄ，２ｅ，２ｆ，２ｇ・・・に設けた表示部５により容易に知ることができる。
【００３３】
更に、本例にあっても、前記定規板１に長さを示す目盛り部６が表示されている。また、前記定規板１にあっては、前記第１例と同様であり、特に限定されない。
【００３４】
図４は実施の形態の第４例を示すものである。本例のアールコーナー定規は、第１例と同様に、定規板１上に仮想のＸ軸とＹ軸を求め、Ｘ軸とＹ軸の間に径の異なる複数の円弧ライン２ａ，２ｂ，２ｃ，２ｄ，２ｅ，２ｆ，２ｇ・・・を表示しており、本例では、前記各円弧ライン２のアール径の中心点３ａ，３ｂ，３ｃ，３ｄ，３ｅ，３ｆ，３ｇ・・・をＹ軸上に求め、最小アール径の円弧ライン２ａの中心点３ａを基準点４とし、最小アール径の円弧ライン２ａの中心点３ａを除き各円弧ライン２ｂ，２ｃ，２ｄ，２ｅ，２ｆ，２ｇ・・・の中心点３ｂ，３ｃ，３ｄ，３ｅ，３ｆ，３ｇ・・・を、各円弧ライン２ｂ，２ｃ，２ｄ，２ｅ，２ｆ，２ｇ・・・の小アール径側の直前の円弧ライン２ａ，２ｂ，２ｃ，２ｄ，２ｅ，２ｆ，２ｇ・・・の中心点３ａ，３ｂ，３ｃ，３ｄ，３ｅ，３ｆ，３ｇ・・・から所定寸法だけＸ軸上の正側に移して各円弧ライン２ｂ，２ｃ，２ｄ，２ｅ，２ｆ，２ｇ・・・を表示している。そして、各円弧ライン２ａ，２ｂ，２ｃ，２ｄ，２ｅ，２ｆ，２ｇ・・・にはアール径を示す表示部５を設けている。
【００３５】
本例では、各円弧ライン２ａ，２ｂ，２ｃ，２ｄ，２ｅ，２ｆ，２ｇ・・・のアール径を５ｍｍ間隔で表示しており、最小アール径の円弧ライン２ａの中心点３ａを除き各円弧ライン２ｂ，２ｃ，２ｄ，２ｅ，２ｆ，２ｇ・・・の中心点３ｂ，３ｃ，３ｄ，３ｅ，３ｆ，３ｇ・・・を、それぞれ５ｍｍだけ前記基準点４からＸ軸上の正側に移して前記円弧ライン２ｂ，２ｃ，２ｄ，２ｅ，２ｆ，２ｇ・・・を表示している。
【００３６】
このように表示することにより、Ｘ軸上の各円弧ライン２ａ，２ｂ，２ｃ，２ｄ，２ｅ，２ｆ，２ｇ・・・の間隔は、円弧ライン２ｂ，２ｃ，２ｄ，２ｅ，２ｆ，２ｇ・・・の中心点３ｂ，３ｃ，３ｄ，３ｅ，３ｆ，３ｇ・・・を基準点４からＸ軸上の正側に移した寸法、即ち５ｍｍだけ広くなって１０ｍｍとなり、各円弧ライン２ａ，２ｂ，２ｃ，２ｄ，２ｅ，２ｆ，２ｇ・・・のアール径の間隔が５ｍｍと狭いものであっても、前記各円弧ライン２ｂ，２ｃ，２ｄ，２ｅ，２ｆ，２ｇ・・・の中心点３ｂ，３ｃ，３ｄ，３ｅ，３ｆ，３ｇ・・・を基準点４からＸ軸上の正側に移した寸法、即ち５ｍｍ分、Ｘ軸とＹ軸の間に表示される径の異なる複数の円弧ライン２ａ，２ｂ，２ｃ，２ｄ，２ｅ，２ｆ，２ｇ・・・の間隔が広く１０ｍｍに表示されるので、Ｘ軸とＹ軸の間に表示される径の異なる複数の円弧ラインを容易に確認することができるものとなる。また、各円弧ライン２ａ，２ｂ，２ｃ，２ｄ，２ｅ，２ｆ，２ｇ・・・のアール径は、各円弧ライン２ａ，２ｂ，２ｃ，２ｄ，２ｅ，２ｆ，２ｇ・・・に設けた表示部５により容易に知ることができる。
【００３７】
更に、本例にあっても、前記定規板１に長さを示す目盛り部６が表示されている。また、前記定規板１にあっては、前記第１例と同様であり、特に限定されない。
【００３８】
図５は実施の形態の第５例を示すものである。本例のアールコーナー定規は、図１に示す実施の形態の第１例のアールコーナー定規にあって、定規板１に、前記各円弧状ライン２ａ，２ｂ，２ｃ，２ｄ，２ｅ，２ｆ，２ｇ・・・を内周として円弧状スリット７ａ，７ｂ，７ｃ，７ｄ，７ｅ，７ｆ，７ｇ・・・が形成され、前記各円弧状スリット７ａ，７ｂ，７ｃ，７ｄ，７ｅ，７ｆ，７ｇ・・・の両端に対応して前記定規板１に位置決めピン挿入孔８ａ，８ｂ，８ｃ，８ｄ，８ｅ，８ｆ，８ｇ・・・がそれぞれ設けらている。
【００３９】
このように構成することにより、図面上或いは物品上に所定の径のアールコーナーを作図し或いは表示しようとしたとき、所定の径の円弧状スリット７ａ，７ｂ，７ｃ，７ｄ，７ｅ，７ｆ，７ｇ・・・の両端に対応して前記定規板１に設けられている位置決めピン挿入孔８ａ，８ｂ，８ｃ，８ｄ，８ｅ，８ｆ，８ｇ・・・に適宜のピンを挿入し、このピンを図面上のコーナー部の２側辺に当接させ、また、物品のコーナー部の２側辺に当接させ、前記円弧状スリット７ａ，７ｂ，７ｃ，７ｄ，７ｅ，７ｆ，７ｇ・・・に筆記具を挿入して円弧状スリット７ａ，７ｂ，７ｃ，７ｄ，７ｅ，７ｆ，７ｇ・・・内を移動させることにより、容易に且つ確実に所定の径のアールコーナーを作図し或いは表示することができる。
【００４０】
なお、本例では、各円弧状ライン２ａ，２ｂ，２ｃ，２ｄ，２ｅ，２ｆ，２ｇ・・・を内周として円弧状スリット７ａ，７ｂ，７ｃ，７ｄ，７ｅ，７ｆ，７ｇ・・・が形成されているが、各円弧状ライン２ａ，２ｂ，２ｃ，２ｄ，２ｅ，２ｆ，２ｇ・・・を外周として形成してもよい。
【００４１】
また、本例は、前記第２，３，４例に示すアールコーナー定規にも実施することができる。
【図面の簡単な説明】
【００４２】
【図１】本発明に係るアールコーナー定規を実施するための最良の形態の第１例を示す平面図である。
【図２】本発明に係るアールコーナー定規を実施するための最良の形態の第２例を示す平面図である。
【図３】本発明に係るアールコーナー定規を実施するための最良の形態の第３例を示す平面図である。
【図４】本発明に係るアールコーナー定規を実施するための最良の形態の第４例を示す平面図である。
【図５】本発明に係るアールコーナー定規を実施するための最良の形態の第５例を示す平面図である。
【符号の説明】
【００４３】
１  定規板
２ａ，２ｂ，２ｃ，２ｄ，２ｅ，２ｆ，２ｇ  円弧ライン
３ａ，３ｂ，３ｃ，３ｄ，３ｅ，３ｆ，３ｇ  中心点
４  基準点
５  表示部
６  目盛り部
７ａ，７ｂ，７ｃ，７ｄ，７ｅ，７ｆ，７ｇ  円弧状スリット
８ａ，８ｂ，８ｃ，８ｄ，８ｅ，８ｆ，８ｇ  位置決めピン挿入孔
【図１】
2005313351.tif 000003
【図２】
2005313351.tif 000004
【図３】
2005313351.tif 000005
【図４】
2005313351.tif 000006
【図５】
2005313351.tif 000007